(57)【要約】      （修正有）【課題】支持力を向上することができる包装具及び包装箱を提供する。【解決手段】包装具１は、段ボール板紙によって形成された板状部材２と可撓性の薄膜部材３とを備える。板状部材２は、包装対象物Ａが載置される載置部２１と載置部２１の両側に折り曲げ線を介して連設される起立部２２を有し、平坦な展開状態から起立部２２が上方に折り曲げられた起立状態に変形可能である。薄膜部材３は、筒状であって、少なくとも載置部２１を覆うように板状部材２が挿入される。載置部２１は、展開状態において、板状部材２の端縁に沿った両縁部２１ｓの長さより縁部に平行な中央部の長さが大に形成されている。また、載置部２１は、前記起立状態において、前記両縁部２１ｓより前記中央部が上方になるように曲がっている。【選択図】図５
2018002170.tif 000002
【特許請求の範囲】
【請求項１】
段ボール板紙によって形成され、包装対象物が載置される載置部及び該載置部の両側に夫々折り曲げ線を介して連設される一対の起立部を有する板状部材と、筒状であって少なくとも前記載置部を覆うように該板状部材が挿入される可撓性の薄膜部材とを備え、前記板状部材が平坦な展開状態から前記起立部が上方に折り曲げられた起立状態に変形可能な包装具において、
前記載置部は、前記展開状態において、板状部材の端縁に沿った両縁部の長さより該縁部に平行な中央部の長さが大に形成されるとともに、
前記起立状態において、前記両縁部より前記中央部が上方なるように曲がっていることを特徴とする包装具。
【請求項２】
請求項１記載の包装具において、
前記載置部は、両側の前記起立部との境界が円弧状であることを特徴とする包装具。
【請求項３】
請求項１または２記載の包装具において、
板状部材は、載置部及び両起立部を横切り、載置部及び両起立部を谷折り可能な第２の折り曲げ線を有することを特徴とする包装具。
【請求項４】
包装具と、該包装具を収納する外箱とを備える包装箱であって、
該包装具は、段ボール板紙によって形成され、包装対象物が載置される載置部及び該載置部の両側に夫々折り曲げ線を介して連設される一対の起立部を有する板状部材と、筒状であって少なくとも前記載置部を覆うように該板状部材が挿入される可撓性の薄膜部材とを備え、前記板状部材は平坦な展開状態から前記起立部が上方に折り曲げられた起立状態に変形可能であって、
前記載置部は、前記展開状態において、板状部材の端縁に沿った両縁部の長さより該縁部に平行な中央部の長さが大に形成されるとともに、前記起立状態において、前記両縁部より前記中央部が上方なるように曲がっており、
前記外箱の対向する内側面は、起立状態で収納された両起立部の外側面と接していることを特徴とする包装箱。
【発明の詳細な説明】
【技術分野】
【０００１】
本発明は、包装対象物を包装する包装具、及び、該包装具を収納する包装箱に関する。
【背景技術】
【０００２】
ネットショッピングなどの通信販売の普及により、宅配便を利用した商品の搬送が多用されている。これらの商品の搬送においては、形状や大きさの異なる様々な包装対象物を安定した状態で搬送できる包装具が求められている。
【０００３】
この種の包装具として、従来、板状部材と、該板状部材が収容された筒状の伸縮可能な可撓性フィルム部材とを有するものが知られている（特許文献１参照）。
【０００４】
この包装具では、板状部材は、包装対象物が載置される載置部と、該載置部の両側に配された起立部とを有し、該載置部と起立部との境界に該起立部を該載置部の上方に谷折り可能な第１の折曲線が設けられるとともに、該第１の折曲線と直交し該載置部及び該折返部を谷折り可能な第２の折曲線を有している。
【０００５】
かかる包装具によって包装対象物を包装するときには、板状部材を第２の折曲線で谷折りすることで、板状部材と可撓性フィルム部材との間に隙間を作って包装対象物を挿入する。そして、第１の折曲線から各起立部を上方に折り曲げると、先に折り曲げられていた第２の折曲線は、折り曲げられていない元の状態に復元され、これにより可撓性フィルム部材が緊張する。
【０００６】
この結果、包装対象物は、可撓性フィルム部材によって載置部に圧着して支持される。この包装具は、包装対象物を包んだ状態で段ボール板紙などの外箱に収容されて包装箱として搬送される。
【先行技術文献】
【特許文献】
【０００７】
【特許文献１】特表平９−５０１１２８号公報
【発明の概要】
【発明が解決しようとする課題】
【０００８】
しかし、この種の包装具は、該外箱に衝撃が加えられた場合に、包装対象物が載置部から移動しないようにするためには、可撓性フィルム部材の圧着力を高める必要がある。圧着力を高めるためには、例えば、筒状の可撓性フィルム部材の周方向寸法を小さく設計することが考えられる。もっとも、寸法を小さくしてしまうと、載置部と可撓性フィルム部材との間に包装対象物を挿入しにくくなるという不都合がある。
【０００９】
上記の点に鑑み、本発明は、包装作業が容易で、しかも包装対象物への支持力を向上させることができる包装具及び包装箱を提供することを目的とする。
【課題を解決するための手段】
【００１０】
かかる目的を達成するために、本発明の包装具は、段ボール板紙によって形成され、包装対象物が載置される載置部及び該載置部の両側に夫々折り曲げ線を介して連設される一対の起立部を有する板状部材と、筒状であって少なくとも前記載置部を覆うように該板状部材が挿入される可撓性の薄膜部材とを備え、前記板状部材が平坦な展開状態から前記起立部が上方に折り曲げられた起立状態に変形可能な包装具において、前記載置部は、前記展開状態において、板状部材の端縁に沿った両縁部の長さより該縁部に平行な中央部の長さが大に形成されるとともに、前記起立状態において、前記両縁部より前記中央部が上方になるように曲がっていることを特徴とする。
【００１１】
本発明の包装具は、筒状の薄膜部材に対し、板状部材の載置部が覆われるように挿入されているので、該板状部材の載置部と該薄膜部材との隙間に包装対象物を挿入して、該板状部材の載置部に包装対象物を載置することができる。
【００１２】
また、該載置部の両側には、折り曲げ線を介して起立部が連設されているため、該折り曲げ線から該起立部を上方に折り曲げることにより、該起立部が載置部に対し上側に起立する。
【００１３】
ここで前記載置部は、前記展開状態において板状部材の端縁に沿った両縁部の長さより該縁部に平行な中央部の長さが大に形成されているので、この載置部に隣接された起立部は、起立させたときに、前記両縁部が含まれる両端に対して、中央部が上方に位置するような凹んだ形状の下端を有する。
【００１４】
そのため、段ボール板紙で形成された前記載置部は、該起立部を起立させたときに、該凹んだ形状に沿うように曲げられ、前記両縁部より前記中央部が上方になる。この結果、載置部上の包装対象物は上方に押し上げられるので、薄膜部材は該包装対象物を介して上側に引っ張られて緊張する。
【００１５】
したがって、本発明の包装具では、包装対象物への支持力を向上させることができると共に、薄膜部材の周方向の寸法を、板状部材の周囲より一定程度大きく設計して、載置部と薄膜部材との隙間に包装対象物を挿入する梱包作業を容易にすることを両立できる。
【００１６】
また、本発明において、前記載置部は、両側の前記起立部との境界が円弧状であることが好ましい。
【００１７】
これによれば、起立部の基端が円弧状となるため、前記起立状態における載置部を、前記両縁部より前記中央部が上方になるように、容易に曲げることができる。
【００１８】
また、本発明において、板状部材は、載置部及び両起立部を横切り、載置部及び両起立部を谷折り可能な第２の折り曲げ線を有することが好ましい。
【００１９】
これによれば、該板状部材と薄膜部材との隙間に包装対象物を挿入する際に、第２の折り曲げ線により載置部及び両起立部を谷折りしておくことにより、該隙間が大きくなるため、包装対象物を挿入しやすくすることができる。
【００２０】
したがって、筒状の薄膜部材の周方向寸法を小さく設計しても、載置部と薄膜部材との隙間に包装対象物を挿入する梱包作業を容易にしつつ、薄膜部材による圧着力を高めて包装対象物への支持力を向上させることができる。
【００２１】
また、本発明の包装箱は、包装具と、該包装具を収納する外箱とを備える包装箱であって、該包装具は、段ボール板紙によって形成され、包装対象物が載置される載置部及び該載置部の両側に夫々折り曲げ線を介して連設される一対の起立部を有する板状部材と、筒状であって少なくとも前記載置部を覆うように該板状部材が挿入される可撓性の薄膜部材とを備え、前記板状部材は平坦な展開状態から前記起立部が上方に折り曲げられた起立状態に変形可能であって、前記載置部は、前記展開状態において、板状部材の端縁に沿った両縁部の長さより該縁部に平行な中央部の長さが大に形成されるとともに、前記起立状態において、前記両縁部より前記中央部が上方なるように曲がっており、前記外箱の対向する内側面は、起立状態で収納された両起立部の外側面と接していることを特徴とする。
【００２２】
これによれば、収納された前記包装具の起立された起立部の外側面が外箱の内側面に接することで外箱に包装具が支持されるため、包装対象物への支持力を向上させることができる。
【図面の簡単な説明】
【００２３】
【図１】本発明の包装具の一実施形態を示す斜視図。
【図２】図１の板状部材の展開図。
【図３】図１の包装具の包装工程を示す第１の斜視図。
【図４】図１の包装具の包装工程を示す第２の斜視図。
【図５】図１の包装具の包装状態を示す斜視図。
【図６】図５の包装具のＶＩ−ＶＩ線断面図
【図７】本発明の変形例に係る板状部材の展開図。
【発明を実施するための形態】
【００２４】
本発明の一実施形態を図面に基づいて説明する。本実施形態の物品運送用包装具１（以下、包装具１という）は、図１に示すように、板状部材２と、可撓性フィルム（薄膜部材）３とを有する。包装具１は、板状部材２と、可撓性フィルム３と間に包装対象物Ａを保持して、これを外箱４内に収容するものである。この外箱４は、そのまま包装箱としてもよく、さらに大きな包装箱内に２箱以上を収容するものであってもよい。
【００２５】
板状部材２は、図２に示すように、載置部２１と、載置部２１の両側に配された起立部２２，２２とに区画された略方形の板である。板状部材２は、例えば、厚紙、段ボール板紙によって作られる。
【００２６】
載置部２１は、板状部材２の中央領域に確保された包装物品を載置する部分であり、板状部材の端縁に沿った上下方向の縁部２１ｓより中央部２１ｔが長いように左右に膨らんだ形状である。起立部２２は、載置部２１の左右端縁に折目線（折り曲げ線）ａを介して連設されて、上向きに折り返される部分である。
【００２７】
折目線ａは、載置部２１の両側から左右方向に凸状に形成された円弧状の曲線である。各折目線ａ，ａは、上下方向に対称に形成されると共に、一対の両折目線ａとしては、左右方向に対称に形成されている。
【００２８】
これによって起立部２２は、載置部２１に対して概ね垂直上方に向く位置まで折り曲げ可能とされるとともに、この位置を越えて過度に載置部２１の上面側に折れ曲がることが防止される。
【００２９】
板状部材２には、載置部２１及び起立部２２，２２を通過し、折目線ａ，ａと交差する折目線ｂが形成されている。折目線ｂは、板状部材２の上下端縁と平行な谷折り可能な折目線である。なお、折目線ｂが、本発明の第２の折り曲げ線に相当する。
【００３０】
可撓性フィルム３は、例えば、ポリエチレンテレフタレート、ポリエチレン、ポリプロピレン、ポリカーボネート、及びポリ塩化ビニルなどの合成樹脂フィルムからなる可撓性フィルムによって形成される。また、可撓性フィルム３は、筒状であり、一方の開口から、板状部材２が折目線ｂに沿った方向に挿入される。
【００３１】
可撓性フィルム３は、軸線方向において、少なくとも、包装対象物Ａを覆うように形成される必要があり、本実施形態では載置部２１が覆われるように形成されている。
【００３２】
可撓性フィルム３の周方向の長さは、板状部材２を収納できるように、板状部材２の短手方向の外周と同程度か、それより若干大きく設計されている。なお、可撓性フィルム３は可撓性を有し伸縮可能であり、また、板状部材２は折目線ｂで折り曲げ可能であるため、板状部材２の短手方向の外周より可撓性フィルム３を若干小さく設計することもできる。すなわち、可撓性フィルム３の周方向の長さは、収納する包装対象物Ａの大きさによって、適宜選択することができる。
【００３３】
なお、本実施形態では、板状部材２は可撓性フィルム３に挿入されているだけであり固定されていないが、本発明はこれに限られるものではなく、包装対象物Ａを挿入しない一方側の板状部材２及び可撓性フィルム３を接着剤・熱溶着で固定することもできる。
【００３４】
次に、図３乃至図５を参照して、包装具１を用いて包装対象物Ａを包装する手順について説明する。
【００３５】
まず、図３に示すように、板状部材２を折目線ｂに沿って谷折りに折り曲げる。次いで、包装対象物Ａを、板状部材２の載置部２１と可撓性フィルム３との間に挿入する。このとき、上記のとおり、予め板状部材２を折り曲げておくことで可撓性フィルム３が弛むため、包装対象物Ａを挿入しやすくなる。
【００３６】
次に、図４に示すように、折目線ｂに沿って折り曲げられた板状部材２を、可撓性フィルム３の張力に抗して平板状に復元させる。これにより、可撓性フィルム３は、載置部２１の両端縁側に引っ張られて緊張し、包装対象物Ａを載置部２１に押し付ける。これによって、包装対象物Ａは所定の位置に固定される。
【００３７】
さらに、図４に示すように、起立部２２，２２を折目線ａ，ａで載置部２１の表面側に折り曲げる（図４の矢印方向）。これにより、図５に示すように、包装具１を用いた包装対象物Ａの包装が完了する。
【００３８】
図５に示した包装完了した包装具１のＶＩ−ＶＩ線断面図が、図６である。
【００３９】
図６に示すとおり、折り曲げられた起立部２２，２２の基端（図６における下側の縁部）は、折目線ａに沿って、中央部が左右端よりも上方に配置された円弧状を形成する。
【００４０】
このとき、載置部２１は、段ボール板紙によって形成されているので、起立部２２，２２の基端よって該基端の円弧状に沿うように変形される。これにより、載置部２１は、図６に示すように、中央部２１ｔが両縁部２１ｓより上方になるようなアーチ状に湾曲される。この結果、載置部２１が上方に湾曲することによって、載置部２１に載置された包装対象物Ａも上方に移動される。
【００４１】
このとき、図６に示すように、可撓性フィルム３は、板状部材２の長手方向に沿った端縁によって下側を掛止されているため、上方の内周面に対して包装対象物Ａが上方に移動されて強く押し付けられる。
【００４２】
この結果、本実施形態における包装具１によれば、載置部２１が上方に凸状に変形することで、包装対象物Ａへの支持力をさらに向上させることができる。
【００４３】
最後に、図１に示すように、この包装具１を外箱４に収納する。
【００４４】
外箱４の内部空間は、包装具１を収納可能なように、起立状態の包装具１より若干大きく設計されている。
【００４５】
そのため、起立状態の包装具１を外箱に収納すると、起立させた起立部２２，２２の両外側面が、外箱の内側面にそれぞれ接する。特に、起立部２２は、段ボール板紙を無理に曲げることで起立状態に変形されているため、展開状態に戻ろうとすることから前記外側面が外箱の内側面に押し付けられる。
【００４６】
これにより、包装具１は、外箱４の内部に支持されるので、包装対象物Ａを支持することができる。
【００４７】
なお、上記説明では、図４において、折目線ｂに沿って折り曲げた板状部材を折り曲げられていない元の状態に戻してから、起立部２２，２２を折目線ａ，ａで載置部２１の表面側に折り曲げると説明した。しかしながら、該折目線ｂと該折目線ａとは交差しているため、両折目線を同時に折り曲げることはできないので、折目線ａで強制的に折り曲げると、先に折り曲げられていた折目線ｂは、折り曲げられていない元の状態に自動的に復元される。
【００４８】
すなわち、図３に示すように、包装対象物Ａを、板状部材２の載置部２１と可撓性フィルム３との間に挿入した状態において、起立部２２，２２を載置部２１の表面側に折り曲げることで、図４の状態を省略して、図５に示した包装が完了した状態にすることもできる。
【００４９】
なお、本実施形態においては、板状部材の折目線として、円弧状の折目線ａを説明したが、本発明はこれに限られることなく、図７Ａ乃至図７Ｃに示すような変形例１乃至３であってもよい。
【００５０】
図７Ａに示すように、変形例１に係る折目線ａ２は、載置部２１の両側から左右方向に凸状に形成された山型の直線であり、上下方向及び左右方向のいずれに対しても線対称に形成されている。このとき、各折目線ａ１の山型の頂点（屈曲点）を結ぶ補助の折目線を設けることで、載置部２１をさらに変形しやすくすることもできる。なお、該補助の折目線は、以下の変形例２及び３に設けてもよい。
【００５１】
図７Ｂに示すように、変形例２に係る折目線ａ３は、板状部材２の左右端縁と平行に上下方向に延びる第１直線部と、該第１直線部の端部と板状部材２の隣接する上下端縁とを連接するとともに隣接する前記左右端縁から離れる方向に傾斜する傾斜部とから形成されている。これにより、載置部２１のうち、実際に包装対象物Ａが載置される中央部を平坦することができるので、確実に包装対象物Ａを上方に移動させて支持力をさらに向上させることができる。
【００５２】
図７Ｃに示すように、変形例３に係る折目線ａ４は、板状部材２の左右端縁と平行に上下方向に延びる第１直線部と、該第１直線部の延長線に平行であって、該第１直線部よりも上方または下方の内側において直線方向に延びる第２直線部と、前記第１直線部の端部と隣接する該第２直線部の端部とを連接する傾斜部とから形成されている。これにより、載置部２１のうち、実際に包装対象物Ａが載置される中央部を平坦することができるので、確実に包装対象物Ａを上方に移動させて支持力をさらに向上させることができる。また、包装具１の下側と外箱４の内部床面とを面接触させることができるため、包装具１を安定して載置することができる。
【００５３】
なお、本実施形態及び上記変形例では、折目線ａとして、曲線状のものと、屈曲点を有する直線形状のものとを夫々説明したが、本発明はこれに限られず、一つの折目線ａが、直線の領域と曲線の領域とを有する物であってもよい。
【００５４】
なお、本実施形態及び上記変形例では、載置部２１の中央部２１ｔが上下方向の中央に配置されたものを例に説明したが、本発明はこれに限られることはない。すなわち、載置部２１の左右方向の一番長い部分が上下方向の中央ではなく、中央から上寄りまたは下寄りであってもよい。
【符号の説明】
【００５５】
１…包装具、２…板状部材、３…薄膜部材（可撓性フィルム）、２１…載置部、２１ｓ…縁部、２１ｔ…中央部、２２…起立部、ａ…折り曲げ線（折目線）、ｂ…第２の折り曲げ線（折目線）。
【図１】
2018002170.tif 000003
【図２】
2018002170.tif 000004
【図３】
2018002170.tif 000005
【図４】
2018002170.tif 000006
【図５】
2018002170.tif 000007
【図６】
2018002170.tif 000008
【図７】
2018002170.tif 000009